(57)【要約】【課題】予約における駐車場の利用効率を高めること。【解決手段】利用者の携帯端末９００１  より、空き駐車場の検索に関する検索条件（車両１０００１  の現在地）を受け付け、検索条件に基づいて、複数の駐車場の中から空き駐車場を検索する駐車場予約装置５００を備え、駐車場予約装置５００は、上記検索結果を携帯端末９００１  へ通知し、利用者に検索結果の中から予約すべき空き駐車場を決定させ、予約の決定を受けて、当該空き駐車場を管理する駐車場総合管理システム２００１  〜２００ｎ  のうちいずれかの駐車場総合管理システムへ予約情報を通知し、予約を完了させ、さらに予約が完了した時点から当該空き駐車場にかかる駐車料金の課金を発生させる。【選択図】      図２
2004295804.tif 000002
【特許請求の範囲】
【請求項１】
コンピュータを、
利用者の携帯端末より、空き駐車場の検索に関する検索条件を受け付ける受付手段、
前記検索条件に基づいて、複数の駐車場の中から空き駐車場を検索する検索手段、
前記検索手段の検索結果を前記携帯端末へ通知し、前記利用者に検索結果の中から予約すべき空き駐車場を決定させる予約決定手段、
前記予約の決定を受けて、当該空き駐車場を管理する管理装置へ予約情報を通知し、予約を完了させる予約手続手段、
前記予約が完了した時点から当該空き駐車場にかかる駐車料金の課金を発生させる課金発生手段、
として機能させるための駐車場予約プログラム。
【請求項２】
前記予約決定手段は、前記予約が完了した時点で前記駐車料金の課金が発生する旨のメッセージを前記携帯端末に表示させることを特徴とする請求項１に記載の駐車場予約プログラム。
【請求項３】
前記予約手続手段は、前記管理装置に対して、前記予約情報の通知とともに、当該空き駐車場を物理的にロックさせるためのロック指示を出すことを特徴とする請求項１または２に記載の駐車場予約プログラム。
【請求項４】
前記コンピュータを、予約された当該空き駐車場を前記利用者が利用する場合、前記携帯端末から認証情報を取得し、前記利用者を認証する認証手段として機能させ、前記予約手続手段は、前記認証手段により認証された場合、前記管理装置に対して、前記ロックを解除させるためのロック解除指示を出すことを特徴とする請求項３に記載の駐車場予約プログラム。
【請求項５】
前記検索条件は、前記車両の現在地であり、前記携帯端末は、収容局から通知された位置を前記現在地として通知することを特徴とする請求項１〜４のいずれか一つに記載の駐車場予約プログラム。
【請求項６】
前記検索条件は、前記車両の現在地であり、前記携帯端末は、グローバルポジショニングシステムにより前記現在地を測位する機能を備え、測位結果を前記現在地として通知することを特徴とする請求項１〜４のいずれか一つに記載の駐車場予約プログラム。
【請求項７】
前記検索条件は、前記利用者により任意に設定される地域であることを特徴とする請求項１〜４のいずれか一つに記載の駐車場予約プログラム。
【請求項８】
前記予約決定手段は、前記検索手段の検索結果を地図上に表示させて前記携帯端末へ通知することを特徴とする請求項１〜７のいずれか一つに記載の駐車場予約プログラム。
【請求項９】
利用者の携帯端末より、空き駐車場の検索に関する検索条件を受け付ける受付工程と、
前記検索条件に基づいて、複数の駐車場の中から空き駐車場を検索する検索工程と、
前記検索工程の検索結果を前記携帯端末へ通知し、前記利用者に検索結果の中から予約すべき空き駐車場を決定させる予約決定工程と、
前記予約の決定を受けて、当該空き駐車場を管理する管理装置へ予約情報を通知し、予約を完了させる予約手続工程と、
前記予約が完了した時点から当該空き駐車場にかかる駐車料金の課金を発生させる課金発生工程と、
を含むことを特徴とする駐車場予約方法。
【請求項１０】
前記予約決定工程では、前記予約が完了した時点で前記駐車料金の課金が発生する旨のメッセージを前記携帯端末に表示させることを特徴とする請求項９に記載の駐車場予約方法。
【請求項１１】
前記予約手続工程では、前記管理装置に対して、前記予約情報の通知とともに、当該空き駐車場を物理的にロックさせるためのロック指示を出すことを特徴とする請求項９または１０に記載の駐車場予約方法。
【請求項１２】
予約された当該空き駐車場を前記利用者が利用する場合、前記携帯端末から認証情報を取得し、前記利用者を認証する認証工程を含み、前記予約手続工程では、前記認証工程により認証された場合、前記管理装置に対して、前記ロックを解除させるためのロック解除指示を出すことを特徴とする請求項１１に記載の駐車場予約方法。
【請求項１３】
前記検索条件は、前記車両の現在地であり、前記携帯端末は、収容局から通知された位置を前記現在地として通知することを特徴とする請求項９〜１２のいずれか一つに記載の駐車場予約方法。
【請求項１４】
前記検索条件は、前記車両の現在地であり、前記携帯端末は、グローバルポジショニングシステムにより前記現在地を測位する機能を備え、測位結果を前記現在地として通知することを特徴とする請求項９〜１２のいずれか一つに記載の駐車場予約方法。
【請求項１５】
前記検索条件は、前記利用者により任意に設定される地域であることを特徴とする請求項９〜１２のいずれか一つに記載の駐車場予約方法。
【請求項１６】
前記予約決定工程では、前記検索工程の検索結果を地図上に表示させて前記携帯端末へ通知することを特徴とする請求項９〜１５のいずれか一つに記載の駐車場予約方法。
【請求項１７】
利用者の携帯端末より、空き駐車場の検索に関する検索条件を受け付ける受付手段と、
前記検索条件に基づいて、複数の駐車場の中から空き駐車場を検索する検索手段と、
前記検索手段の検索結果を前記携帯端末へ通知し、前記利用者に検索結果の中から予約すべき空き駐車場を決定させる予約決定手段と、
前記予約の決定を受けて、当該空き駐車場を管理する管理装置へ予約情報を通知し、予約を完了させる予約手続手段と、
前記予約が完了した時点から当該空き駐車場にかかる駐車料金の課金を発生させる課金発生手段と、
を備えたことを特徴とする駐車場予約装置。
【請求項１８】
前記予約決定手段は、前記予約が完了した時点で前記駐車料金の課金が発生する旨のメッセージを前記携帯端末に表示させることを特徴とする請求項１７に記載の駐車場予約装置。
【請求項１９】
前記予約手続手段は、前記管理装置に対して、前記予約情報の通知とともに、当該空き駐車場を物理的にロックさせるためのロック指示を出すことを特徴とする請求項１７または１８に記載の駐車場予約装置。
【請求項２０】
予約された当該空き駐車場を前記利用者が利用する場合、前記携帯端末から認証情報を取得し、前記利用者を認証する認証手段を備え、前記予約手続手段は、前記認証手段により認証された場合、前記管理装置に対して、前記ロックを解除させるためのロック解除指示を出すことを特徴とする請求項１９に記載の駐車場予約装置。
【請求項２１】
前記検索条件は、前記車両の現在地であり、前記携帯端末は、収容局から通知された位置を前記現在地として通知することを特徴とする請求項１７〜２０のいずれか一つに記載の駐車場予約装置。
【請求項２２】
前記検索条件は、前記車両の現在地であり、前記携帯端末は、グローバルポジショニングシステムにより前記現在地を測位する機能を備え、測位結果を前記現在地として通知することを特徴とする請求項１７〜２０のいずれか一つに記載の駐車場予約装置。
【請求項２３】
前記検索条件は、前記利用者により任意に設定される地域であることを特徴とする請求項１７〜２０のいずれか一つに記載の駐車場予約装置。
【請求項２４】
前記予約決定手段は、前記検索手段の検索結果を地図上に表示させて前記携帯端末へ通知することを特徴とする請求項１７〜２３のいずれか一つに記載の駐車場予約装置。
【発明の詳細な説明】
【０００１】
【発明の属する技術分野】
本発明は、駐車場の予約に用いて好適な駐車場予約プログラム、駐車場予約方法および駐車場予約装置に関するものであり、特に、予約における駐車場の利用効率を高めることができる駐車場予約プログラム、駐車場予約方法および駐車場予約装置に関するものである。
【０００２】
【従来の技術】
従来より、駐車場の空き状況は、短時間のうちに時々刻々と変化している場合が多く、利用者がその駐車場の空き状況を容易に把握することは困難であった。このことから、駐車対象の駐車場が満車状態の場合には、駐車場に空きが生じるのを待つか、または他の空きのある駐車場を探し回らなければならず、特に都心の駅周辺での駐車場探しは容易ではない。
【０００３】
そこで、従来では、移動通信網を介して予め駐車場を予約してから利用するという駐車場予約システムが提案されている。
【０００４】
【特許文献１】
特開２００２−４１９２０号公報
【０００５】
【発明が解決しようとする課題】
ところで、前述したように、従来の駐車場予約システムにおいては、駐車場を予約した利用者が必ずしも、その駐車場を利用するとは限らない。すなわち、従来の駐車場予約システムでは、無断で予約を破棄する悪質な利用者も存在するため、駐車場管理会社にとって、予約された駐車スペースがデットスペースとなり、駐車場の利用効率が著しく低下するという問題があった。
【０００６】
また、従来の駐車場予約システムにおいては、たとえ利用者が予約を遵守した場合であっても、交通事情等により、予約をしてから実際に車両を駐車スペースに入庫するまでに時間がかかる場合があり、この時間分だけ当該駐車スペースがデットスペースとなり、駐車場の利用効率が低下するという問題が依然として残る。
【０００７】
本発明は、上記に鑑みてなされたもので、予約における駐車場の利用効率を高めることができる駐車場予約プログラム、駐車場予約方法および駐車場予約装置を提供することを目的とする。
【０００８】
【課題を解決するための手段】
上記目的を達成するために、請求項１にかかる発明は、コンピュータを、利用者の携帯端末より、空き駐車場の検索に関する検索条件を受け付ける受付手段、前記検索条件に基づいて、複数の駐車場の中から空き駐車場を検索する検索手段、前記検索手段の検索結果を前記携帯端末へ通知し、前記利用者に検索結果の中から予約すべき空き駐車場を決定させる予約決定手段、前記予約の決定を受けて、当該空き駐車場を管理する管理装置へ予約情報を通知し、予約を完了させる予約手続手段、前記予約が完了した時点から当該空き駐車場にかかる駐車料金の課金を発生させる課金発生手段、として機能させるための駐車場予約プログラムである。
【０００９】
この発明によれば、利用者の携帯端末からの検索条件に基づいて、複数の駐車場の中から空き駐車場を検索し、空き駐車場を管理する管理装置へ予約情報を通知し、予約を完了させ、予約が完了した時点から当該空き駐車場にかかる駐車料金の課金を発生させることとしたので、無断で予約を破棄する悪質行為や、長時間にわたって予約をしたまま車両を駐車場に入庫させない迷惑行為が抑止され、予約における駐車場の利用効率を高めることができる。
【００１０】
また、請求項２にかかる発明は、請求項１に記載の駐車場予約プログラムにおいて、前記予約決定手段は、前記予約が完了した時点で前記駐車料金の課金が発生する旨のメッセージを前記携帯端末に表示させることを特徴とする。
【００１１】
この発明によれば、予約が完了した時点で駐車料金の課金が発生する旨のメッセージを携帯端末に表示させることとしたので、課金発生を明示して、利用者にプレッシャをかけ、無断で予約を破棄する悪質行為や、長時間にわたって予約をしたまま車両を駐車場に入庫させない迷惑行為を抑止するという心理的効果を倍増させることができる。
【００１２】
また、請求項３にかかる発明は、請求項１または２に記載の駐車場予約プログラムにおいて、前記予約手続手段は、前記管理装置に対して、前記予約情報の通知とともに、当該空き駐車場を物理的にロックさせるためのロック指示を出すことを特徴とする。
【００１３】
この発明によれば、管理装置に対して、予約情報の通知とともに、当該空き駐車場を物理的にロックさせるためのロック指示を出すこととしたので、他の利用者が当該空き駐車場に入庫してしまい、当該利用者が利用できないという状況を回避することができる。
【００１４】
また、請求項４にかかる発明は、請求項３に記載の駐車場予約プログラムにおいて、前記コンピュータを、予約された当該空き駐車場を前記利用者が利用する場合、前記携帯端末から認証情報を取得し、前記利用者を認証する認証手段として機能させ、前記予約手続手段は、前記認証手段により認証された場合、前記管理装置に対して、前記ロックを解除させるためのロック解除指示を出すことを特徴とする。
【００１５】
この発明によれば、予約された当該空き駐車場を利用者が利用する場合、携帯端末から認証情報を取得し、利用者が認証された場合、管理装置に対して、ロックを解除させるためのロック解除指示を出すこととしたので、本人認証によりセキュリティを高めることができる。
【００１６】
また、請求項５にかかる発明は、請求項１〜４のいずれか一つに記載の駐車場予約プログラムにおいて、前記検索条件は、前記車両の現在地であり、前記携帯端末は、収容局から通知された位置を前記現在地として通知することを特徴とする。
【００１７】
この発明によれば、検索条件を車両の現在地とし、携帯端末が、収容局から通知された位置を現在地として通知することとしたので、現在地周辺の空き駐車場を迅速に予約することができる。
【００１８】
また、請求項６にかかる発明は、請求項１〜４のいずれか一つに記載の駐車場予約プログラムにおいて、前記検索条件は、前記車両の現在地であり、前記携帯端末は、グローバルポジショニングシステムにより前記現在地を測位する機能を備え、測位結果を前記現在地として通知することを特徴とする。
【００１９】
この発明によれば、検索条件を、車両の現在地とし、携帯端末が、グローバルポジショニングシステムにより現在地を測位する機能を備え、測位結果を現在地として通知することとしたので、高い精度で現在地周辺の空き駐車場を迅速に予約することができる。
【００２０】
また、請求項７にかかる発明は、請求項１〜４のいずれか一つに記載の駐車場予約プログラムにおいて、前記検索条件は、前記利用者により任意に設定される地域であることを特徴とする。
【００２１】
この発明によれば、検索条件を、利用者により任意に設定される地域であることとしたので、例えば、遠隔地の空き駐車場を予約することができる。
【００２２】
また、請求項８にかかる発明は、請求項１〜７のいずれか一つに記載の駐車場予約プログラムにおいて、前記予約決定手段は、前記検索手段の検索結果を地図上に表示させて前記携帯端末へ通知することを特徴とする。
【００２３】
この発明によれば、検索結果を地図上に表示させて携帯端末へ通知することとしたので、地理的位置関係を利用者が把握することができ、利用者の利便性を向上させることができる。
【００２４】
また、請求項９にかかる発明は、利用者の携帯端末より、空き駐車場の検索に関する検索条件を受け付ける受付工程と、前記検索条件に基づいて、複数の駐車場の中から空き駐車場を検索する検索工程と、前記検索工程の検索結果を前記携帯端末へ通知し、前記利用者に検索結果の中から予約すべき空き駐車場を決定させる予約決定工程と、前記予約の決定を受けて、当該空き駐車場を管理する管理装置へ予約情報を通知し、予約を完了させる予約手続工程と、前記予約が完了した時点から当該空き駐車場にかかる駐車料金の課金を発生させる課金発生工程と、を含むことを特徴とする。
【００２５】
この発明によれば、利用者の携帯端末からの検索条件に基づいて、複数の駐車場の中から空き駐車場を検索し、空き駐車場を管理する管理装置へ予約情報を通知し、予約を完了させ、予約が完了した時点から当該空き駐車場にかかる駐車料金の課金を発生させることとしたので、無断で予約を破棄する悪質行為や、長時間にわたって予約をしたまま車両を駐車場に入庫させない迷惑行為が抑止され、予約における駐車場の利用効率を高めることができる。
【００２６】
また、請求項１０にかかる発明は、請求項９に記載の駐車場予約方法において、前記予約決定工程では、前記予約が完了した時点で前記駐車料金の課金が発生する旨のメッセージを前記携帯端末に表示させることを特徴とする。
【００２７】
この発明によれば、予約が完了した時点で駐車料金の課金が発生する旨のメッセージを携帯端末に表示させることとしたので、課金発生を明示して、利用者にプレッシャをかけ、無断で予約を破棄する悪質行為や、長時間にわたって予約をしたまま車両を駐車場に入庫させない迷惑行為を抑止するという心理的効果を倍増させることができる。
【００２８】
また、請求項１１にかかる発明は、請求項９または１０に記載の駐車場予約方法において、前記予約手続工程では、前記管理装置に対して、前記予約情報の通知とともに、当該空き駐車場を物理的にロックさせるためのロック指示を出すことを特徴とする。
【００２９】
この発明によれば、管理装置に対して、予約情報の通知とともに、当該空き駐車場を物理的にロックさせるためのロック指示を出すこととしたので、他の利用者が当該空き駐車場に入庫してしまい、当該利用者が利用できないという状況を回避することができる。
【００３０】
また、請求項１２にかかる発明は、請求項１１に記載の駐車場予約方法において、予約された当該空き駐車場を前記利用者が利用する場合、前記携帯端末から認証情報を取得し、前記利用者を認証する認証工程を含み、前記予約手続工程では、前記認証工程により認証された場合、前記管理装置に対して、前記ロックを解除させるためのロック解除指示を出すことを特徴とする。
【００３１】
この発明によれば、予約された当該空き駐車場を利用者が利用する場合、携帯端末から認証情報を取得し、利用者が認証された場合、管理装置に対して、ロックを解除させるためのロック解除指示を出すこととしたので、本人認証によりセキュリティを高めることができる。
【００３２】
また、請求項１３にかかる発明は、請求項９〜１２のいずれか一つに記載の駐車場予約方法において、前記検索条件は、前記車両の現在地であり、前記携帯端末は、収容局から通知された位置を前記現在地として通知することを特徴とする。
【００３３】
この発明によれば、検索条件を車両の現在地とし、携帯端末が、収容局から通知された位置を現在地として通知することとしたので、現在地周辺の空き駐車場を迅速に予約することができる。
【００３４】
また、請求項１４にかかる発明は、請求項９〜１２のいずれか一つに記載の駐車場予約方法において、前記検索条件は、前記車両の現在地であり、前記携帯端末は、グローバルポジショニングシステムにより前記現在地を測位する機能を備え、測位結果を前記現在地として通知することを特徴とする。
【００３５】
この発明によれば、検索条件を、車両の現在地とし、携帯端末が、グローバルポジショニングシステムにより現在地を測位する機能を備え、測位結果を現在地として通知することとしたので、高い精度で現在地周辺の空き駐車場を迅速に予約することができる。
【００３６】
また、請求項１５にかかる発明は、請求項９〜１２のいずれか一つに記載の駐車場予約方法において、前記検索条件は、前記利用者により任意に設定される地域であることを特徴とする。
【００３７】
この発明によれば、検索条件を、利用者により任意に設定される地域であることとしたので、例えば、遠隔地の空き駐車場を予約することができる。
【００３８】
また、請求項１６にかかる発明は、請求項９〜１５のいずれか一つに記載の駐車場予約方法において、前記予約決定工程では、前記検索工程の検索結果を地図上に表示させて前記携帯端末へ通知することを特徴とする。
【００３９】
この発明によれば、検索結果を地図上に表示させて携帯端末へ通知することとしたので、地理的位置関係を利用者が把握することができ、利用者の利便性を向上させることができる。
【００４０】
また、請求項１７にかかる発明は、利用者の携帯端末より、空き駐車場の検索に関する検索条件を受け付ける受付手段と、前記検索条件に基づいて、複数の駐車場の中から空き駐車場を検索する検索手段と、前記検索手段の検索結果を前記携帯端末へ通知し、前記利用者に検索結果の中から予約すべき空き駐車場を決定させる予約決定手段と、前記予約の決定を受けて、当該空き駐車場を管理する管理装置へ予約情報を通知し、予約を完了させる予約手続手段と、前記予約が完了した時点から当該空き駐車場にかかる駐車料金の課金を発生させる課金発生手段と、を備えたことを特徴とする。
【００４１】
この発明によれば、利用者の携帯端末からの検索条件に基づいて、複数の駐車場の中から空き駐車場を検索し、空き駐車場を管理する管理装置へ予約情報を通知し、予約を完了させ、予約が完了した時点から当該空き駐車場にかかる駐車料金の課金を発生させることとしたので、無断で予約を破棄する悪質行為や、長時間にわたって予約をしたまま車両を駐車場に入庫させない迷惑行為が抑止され、予約における駐車場の利用効率を高めることができる。
【００４２】
また、請求項１８にかかる発明は、請求項１７に記載の駐車場予約装置において、前記予約決定手段は、前記予約が完了した時点で前記駐車料金の課金が発生する旨のメッセージを前記携帯端末に表示させることを特徴とする。
【００４３】
この発明によれば、予約が完了した時点で駐車料金の課金が発生する旨のメッセージを携帯端末に表示させることとしたので、課金発生を明示して、利用者にプレッシャをかけ、無断で予約を破棄する悪質行為や、長時間にわたって予約をしたまま車両を駐車場に入庫させない迷惑行為を抑止するという心理的効果を倍増させることができる。
【００４４】
また、請求項１９にかかる発明は、請求項１７または１８に記載の駐車場予約装置において、前記予約手続手段は、前記管理装置に対して、前記予約情報の通知とともに、当該空き駐車場を物理的にロックさせるためのロック指示を出すことを特徴とする。
【００４５】
この発明によれば、管理装置に対して、予約情報の通知とともに、当該空き駐車場を物理的にロックさせるためのロック指示を出すこととしたので、他の利用者が当該空き駐車場に入庫してしまい、当該利用者が利用できないという状況を回避することができる。
【００４６】
また、請求項２０にかかる発明は、請求項１９に記載の駐車場予約装置において、予約された当該空き駐車場を前記利用者が利用する場合、前記携帯端末から認証情報を取得し、前記利用者を認証する認証手段を備え、前記予約手続手段は、前記認証手段により認証された場合、前記管理装置に対して、前記ロックを解除させるためのロック解除指示を出すことを特徴とする。
【００４７】
この発明によれば、予約された当該空き駐車場を利用者が利用する場合、携帯端末から認証情報を取得し、利用者が認証された場合、管理装置に対して、ロックを解除させるためのロック解除指示を出すこととしたので、本人認証によりセキュリティを高めることができる。
【００４８】
また、請求項２１にかかる発明は、請求項１７〜２０のいずれか一つに記載の駐車場予約装置において、前記検索条件は、前記車両の現在地であり、前記携帯端末は、収容局から通知された位置を前記現在地として通知することを特徴とする。
【００４９】
この発明によれば、検索条件を車両の現在地とし、携帯端末が、収容局から通知された位置を現在地として通知することとしたので、現在地周辺の空き駐車場を迅速に予約することができる。
【００５０】
また、請求項２２にかかる発明は、請求項１７〜２０のいずれか一つに記載の駐車場予約装置において、前記検索条件は、前記車両の現在地であり、前記携帯端末は、グローバルポジショニングシステムにより前記現在地を測位する機能を備え、測位結果を前記現在地として通知することを特徴とする。
【００５１】
この発明によれば、検索条件を、車両の現在地とし、携帯端末が、グローバルポジショニングシステムにより現在地を測位する機能を備え、測位結果を現在地として通知することとしたので、高い精度で現在地周辺の空き駐車場を迅速に予約することができる。
【００５２】
また、請求項２３にかかる発明は、請求項１７〜２０のいずれか一つに記載の駐車場予約装置において、前記検索条件は、前記利用者により任意に設定される地域であることを特徴とする。
【００５３】
この発明によれば、検索条件を、利用者により任意に設定される地域であることとしたので、例えば、遠隔地の空き駐車場を予約することができる。
【００５４】
また、請求項２４にかかる発明は、請求項１７〜２３のいずれか一つに記載の駐車場予約装置において、前記予約決定手段は、前記検索手段の検索結果を地図上に表示させて前記携帯端末へ通知することを特徴とする。
【００５５】
この発明によれば、検索結果を地図上に表示させて携帯端末へ通知することとしたので、地理的位置関係を利用者が把握することができ、利用者の利便性を向上させることができる。
【００５６】
【発明の実施の形態】
以下、図面を参照して本発明にかかる駐車場予約プログラム、駐車場予約方法および駐車場予約装置の一実施の形態について詳細に説明する。
【００５７】
図１は、本発明にかかる一実施の形態の構成を示すブロック図である。同図には、携帯端末より駐車場を予約するための駐車場予約システムが図示されている。
【００５８】
同図において、空き状況監視装置１００１１  〜１００１ｎ  、・・・、空き状況監視装置１００ｎ１  〜１００ｎｎ  は、ｎ社の駐車場管理会社にそれぞれ対応しており、各駐車場に設置されている。
【００５９】
例えば、空き状況監視装置１００１１  〜１００１ｎ  は、駐車場管理会社が管理運営するｎ箇所の駐車場にそれぞれ設けられており、各駐車場の空き状況をリアルタイムで監視するとともに、駐車場総合管理システム２００１  へリアルタイムで通知する機能を備えている。
【００６０】
ここで、各駐車場においては、車両１台分の各駐車スペースにロック板が設けられており、空き状態でロック板が下がった状態（ロック解除）とされ、いずれの車両も当該駐車スペースに駐車することが可能とされる。
【００６１】
また、当該駐車スペースに車両が駐車すると、ロック板が上がった状態（ロック）とされ、駐車料金の精算が終了するまで車両が当該駐車スペースから出庫できない状態とされる。なお、駐車料金の精算が終了すると、ロック板が下がりロック解除とされ、当該車両が出庫可能とされる。
【００６２】
空き状況監視装置１００１１  〜１００１ｎ  は、上記ロック板の上げ下げ（ロック、ロック解除）を制御する機能も備えている。なお、他の空き状況監視装置１００ｎ１  〜１００ｎｎ  も、上述した空き状況監視装置１００１１  〜１００１ｎ  と同一の構成とされている。
【００６３】
駐車場総合管理システム２００１  〜２００ｎ  は、各駐車場管理会社にそれぞれ設けられており、空き状況監視装置１００１１  〜１００１ｎ  、・・・、空き状況監視装置１００ｎ１  〜１００ｎｎ  から通知される各駐車場の空き状況をリアルタイムで管理する機能を備えている。
【００６４】
また、駐車場総合管理システム２００１  〜２００ｎ  は、後述する駐車場予約装置５００からの予約情報に基づいて、該当する空き状況監視装置へ駐車スペースのロックを指示し、他の車両が当該駐車スペースに入庫できないように予約を実行する。
【００６５】
ここで、一実施の形態では、予約の無断破棄を防止し、予約発生から入庫までの空き時間を有効に活用するために、予約され、駐車場スペースがロックされた時点から駐車料金の課金が発生する。
【００６６】
また、駐車場総合管理システム２００１  〜２００ｎ  はセキュリティが高い専用線３００（ＶＰＮ（Ｖｉｒｔｕａｌ  Ｐｒｉｖａｔｅ  Ｎｅｔｗｏｒｋ  ）等）およびルータ４００を介して駐車場予約装置５００に接続されている。
【００６７】
駐車場予約装置５００は、駐車場の各利用者から携帯端末９００１  〜９００ｍ  、インターネット８００、ターミナルアダプタ４２０およびルータ４１０を介して駐車場の予約を受け付ける機能、ルータ４００および専用線３００を介して、駐車場の空き状況を問い合わせる機能、予約を確定させる機能等を備えている。
【００６８】
ここで、図２を参照して、一実施の形態の動作概要について説明する。同図において、図１の各部に対応する部分には同一の符号を付ける。同図には、携帯端末９００１  を携帯し、かつ車両１０００１  に乗車している利用者について、利用者情報の事前登録、駐車場予約、駐車場利用、駐車料金精算という一連の流れが図示されている。
【００６９】
まず、利用者は、携帯端末９００１  で利用者情報を駐車場予約装置５００に事前登録する。つぎに、利用者は、携帯端末９００１  を用いて、駐車場予約装置５００にアクセスし、複数の空き駐車場の中から、所望の条件を満たす空き駐車場を検索で絞り込むための操作を行う。
【００７０】
また、駐車場予約装置５００は、利用者からの検索条件をキーにして、駐車場総合管理システム２００１  〜２００ｎ  に駐車場の空き状況を問い合わせることにより、絞り込み検索を実行する。
【００７１】
そして、空き駐車場が絞り込まれると、利用者は、携帯端末９００１  を用いて、当該駐車場を予約する。これにより、駐車場予約装置５００は、駐車場総合管理システム２００１  〜２００ｎ  のうち、該当する駐車場総合管理システムへ予約情報を通知する。上記駐車場総合管理システムは、空き状況監視装置１００１１  〜１００ｎｎ  のうち、予約された駐車場に対応する空き状況監視装置へ予約情報を通知する。
【００７２】
これにより、上記空き状況監視装置は、ロック板を上げ、予約された駐車場における駐車スペースをロックする制御を行う。ここで、予約が発生した時刻ｔ０  から駐車料金の課金が発生する。
【００７３】
そして、利用者は、予約された駐車場まで車両１０００１  を走行させた後、携帯端末９００１  を用いて、駐車場予約装置５００にアクセスし、駐車場利用に関する認証を得る。これにより、駐車場予約装置５００は、かかる利用者が予約した駐車場に対応する駐車場総合管理システムへ、予約駐車場の利用開始を通知する。
【００７４】
上記駐車場総合管理システムは、空き状況監視装置１００１１  〜１００ｎｎ  のうち、予約された駐車場に対応する空き状況監視装置へ予約駐車場の利用開始を指示する。
【００７５】
これにより、上記空き状況監視装置は、ロック板を下げ、予約された駐車場における駐車スペースをロック解除する制御を行う。利用者は、車両１０００１  を駐車スペースに入庫させる。
【００７６】
そして、時刻ｔ１  で車両１０００１  を出庫させる場合、利用者は、駐車場に備え付けの精算機で駐車料金を精算する。ここで、精算機は、時刻ｔ０  〜ｔ１  までの課金時間に基づいて、駐車料金を計算する。
【００７７】
図１に戻り、駐車場予約装置５００において、制御部５０１は、利用者からの駐車場予約を受け付る機能、駐車場総合管理システム２００１  〜２００ｎ  へ空き状況を問い合わせる機能、駐車場総合管理システム２００１  〜２００ｎ  へ予約確定を通知する機能、予約駐車場の利用に際して、利用者を認証する機能、予約駐車場の利用開始を通知する機能等を実現するための各種制御を行う。この制御部５０１の動作の詳細については、後述する。
【００７８】
記憶部５０２は、ハードディスクであり、オペレーティングシステムや各種アプリケーションプログラムを記憶している。
【００７９】
通信部５０３は、所定の通信プロトコルに従って、専用線３００、ＬＡＮ（Ｌｏｃａｌ  Ａｒｅａ  Ｎｅｔｗｏｒｋ）６００、インターネット８００との通信を制御する。
【００８０】
駐車場情報データベース５１０は、各駐車場管理会社で管理されている駐車場に関する駐車場情報を格納するデータベースである。
【００８１】
具体的には、図３に示したように、駐車場情報データベース５１０は、「駐車場管理会社ＩＤ」、「駐車場管理会社」、「駐車場」、「所在地」、「駐車場種別」および「駐車可能車両区分」というフィールドを備えている。
【００８２】
「駐車場管理会社ＩＤ」は、駐車場総合管理システム２００１  〜２００ｎ  に対応する各駐車場管理会社を一意に識別するための識別子である。「駐車場管理会社」は、駐車場管理会社の名称である。「駐車場」は、当該駐車場管理会社で管理されている駐車場の名称である。
【００８３】
「所在地」は、当該駐車場の所在地を表す情報である。「駐車場種別」は、当該駐車場の種別（無人のコイン式、有人式）等を表す情報である。「駐車可能車両区分」は、当該駐車場に駐車可能な車両の区分（小型車、中型車等）を表す情報である。
【００８４】
図１に戻り、利用者情報データベース５２０は、駐車場（駐車場予約システム）の利用者に関する利用者情報を格納するデータベースである。
【００８５】
具体的には、図４に示したように、利用者情報データベース５２０は、「氏名」、「利用者ＩＤ」、「パスワード」、「住所」、「住所ＩＤ」、「電話番号」、「電子メールアドレス」および「所有車両区分」というフィールドを備えている。
【００８６】
「氏名」は、利用者の氏名を表す情報である。「利用者ＩＤ」は、当該利用者を一意に識別するための識別子である。「パスワード」は、本人認証に用いられる情報である。「住所」は、当該利用者の住所を表す情報である。「住所ＩＤ」は、上記住所を一意に識別するための識別子である。「電話番号」は、当該利用者の電話番号を表す情報である。
【００８７】
「電子メールアドレス」は、当該利用者の電子メールアドレスを表す情報である。「所有車両区分」は、当該利用者が所有する車両（図１に示した車両１０００１  〜１０００ｍ  のうちいずれかの車両）の区分（小型車、中型車等の車種）を表す情報である。
【００８８】
また、図１に示した駐車場予約装置５００は、ルータ４１０、ターミナルアダプタ４２０およびインターネット８００を介して、携帯端末９００１  〜９００ｍ  にアクセスされる。
【００８９】
これらの携帯端末９００１  〜９００ｍ  は、駐車場の各利用者にそれぞれ携帯される携帯端末、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）等であり、車両１０００１  〜１０００ｍ  に対応している。
【００９０】
また、携帯端末９００１  〜９００ｍ  は、音声・データを通信するための通信機能や、Ｗｅｂ画面を閲覧するためのインターネット機能等を備えている。
【００９１】
また、携帯端末９００１  〜９００ｍ  には、各種Ｗｅｂ画面を介して、インターネットサービスの提供を受けるためのアプリケーションプログラム（以下、ＡＰと称する）が実装されている。一実施の形態では、駐車場予約サービスを上記インターネットサービスの一つとして説明する。なお、携帯端末９００１  〜９００ｍ  の動作の詳細については、後述する。
【００９２】
ここで、携帯端末９００１  〜９００ｍ  と駐車場予約装置５００とは、暗号化通信等により高いセキュリティを保持した状態で通信を行う。管理端末７００は、ＬＡＮ６００を介して、駐車場予約装置５００を管理するためのコンピュータ端末である。
【００９３】
つぎに、一実施の形態の動作について、図５〜図７に示したシーケンス図、図８〜図１１を参照しつつ説明する。
【００９４】
（利用者情報登録処理）
はじめに、図５を参照して、利用者情報を利用者情報データベース５２０（図４参照）に登録するための利用者情報登録処理について説明する。ここで、駐車場予約システムにおいては、利用者情報の登録が利用の前提条件となる。
【００９５】
同図に示したステップＳＡ１では、利用者は、携帯端末９００１  のキー（図示略）を操作することにより、前述したＡＰを起動させる。これにより、携帯端末９００１  には、ＡＰ起動画面（図示略）が表示された後、利用者情報登録画面（図示略）が表示され、利用者は、利用者情報（氏名、パスワード、住所、電話番号、電子メールアドレスおよび所有車両区分）を入力した後、送信ボタン（図示略）を押下する。
【００９６】
これにより、ステップＳＡ２では、携帯端末９００１  は、インターネット８００を介して、上記利用者情報を駐車場予約装置５００へ送信する。そして、利用者情報を受信すると、ステップＳＡ３では、駐車場予約装置５００の制御部５０１は、利用者ＩＤおよび住所ＩＤを生成し、利用者により入力された氏名、パスワード、住所、電話番号、電子メールアドレスおよび所有車両区分に、利用者ＩＤおよび住所ＩＤを付加したものを利用者情報として、利用者情報データベース５２０に登録する。
【００９７】
ステップＳＡ４では、制御部５０１は、当該利用者情報の登録が完了したことを利用者ＩＤおよび住所ＩＤとともに携帯端末９００１  へ通知する。これにより、当該利用者は、駐車場予約システムの利用が可能となる。
【００９８】
（予約処理）
つぎに、図６および図８を参照して、携帯端末９００１  を携帯した利用者が車両１０００１  の駐車に関して、空き駐車場をオンラインで予約するための予約処理について説明する。
【００９９】
図６に示したステップＳＢ１では、利用者は、携帯端末９００１  のキー（図示略）を操作することにより、前述したＡＰを起動させる。これにより、ＡＰ起動画面（図示略）が携帯端末９００１  に表示される。
【０１００】
ステップＳＢ２では、ログインの処理が実行される。具体的には、利用者は、ＡＰ起動画面（図示略）の「駐車場予約」に対応するチェックボックスにチェックを入れた後、確定ボタン（図示略）を押下する。これにより、携帯端末９００１  には、図８に示したように、利用者ＩＤおよびパスワードを入力するためのログイン画面９１０が表示される。
【０１０１】
そして、利用者により、ログイン画面９１０に利用者ＩＤおよびパスワードが入力されると、携帯端末９００１  は、利用者ＩＤおよびパスワードを駐車場予約装置５００へ送信する。
【０１０２】
上記利用者ＩＤおよびパスワードを受信すると、ステップＳＢ３では、駐車場予約装置５００の制御部５０１は、受信された利用者ＩＤおよびパスワードと、利用者情報データベース５２０（図４参照）とを照合し、本人認証を行う。
【０１０３】
ステップＳＢ４では、制御部５０１は、認証結果（この場合、ＯＫとする）を携帯端末９００１  へ通知する。なお、認証結果がＮＧである場合、ステップＳＢ５以降の処理が中止され、エラー画面（図示略）が携帯端末９００１  に表示される。
【０１０４】
ステップＳＢ５では、利用者（車両１０００１  ）の現在地を検索キーとして、現在地近傍の空き駐車場を絞り込み検索するための検索処理が実行される。ステップＳＢ６では、駐車場情報データベース５１０から、上記現在地近傍の駐車場を検索するための検索処理が実行される。ステップＳＢ７では、ステップＳＢ６で検索された駐車場について空き状況が問い合わせされる。
【０１０５】
具体的には、ステップＳＢ５では、駐車場予約装置５００の制御部５０１は、携帯端末９００１  に図８に示した検索画面９１１を表示させる。利用者は、検索画面９１１の「現在地」を選択する。これにより、携帯端末９００１  は、無線ゾーン内の収容局（無線基地局）より、自身の現在地（例えば、品川）の情報を取得する。
【０１０６】
なお、一実施の形態においては、無線基地局からの現在地の情報を取得する構成に代えて、携帯端末９００１  にＧＰＳ（Ｇｌｏｂａｌ  Ｐｏｓｉｔｉｏｎｉｎｇ  Ｓｙｓｔｅｍ）を搭載し、独立的に現在地を測位する構成としてもよい。
【０１０７】
上記ＧＰＳは、２４個のＧＰＳ衛星（図示略）のうち、もっとも受信しやすい３個のＧＰＳ衛星からの電波を受信することによって、位置（緯度／経度）、移動方向、速度を計算するシステムであり、携帯端末９００１  〜９００ｍ  のそれぞれに搭載されている。
【０１０８】
そして、携帯端末９００１  には、取得した現在地の情報に対応する検索確認画面９１２（図８参照）が表示される。この検索確認画面９１２は、現在地（品川）を検索キーとして使用することの可否を利用者に確認するための画面である。
【０１０９】
利用者により検索確認画面９１２のＯＫボタンが押下されると、携帯端末９００１  は、現在地（品川）の情報を駐車場予約装置５００へ通知する。
【０１１０】
これにより、ステップＳＢ６では、駐車場予約装置５００の制御部５０１は、上記現在地（品川）を検索キーとして、駐車場情報データベース５１０（図３参照）から、現在地（品川）に存在する駐車場を検索する。
【０１１１】
ステップＳＢ７では、制御部５０１は、ステップＳＢ６で検索された駐車場を管理する駐車場管理会社に対応する駐車場総合管理装置（駐車場総合管理システム２００１  〜２００ｎ  ）へ各駐車場の空き状況を問い合わせる。
【０１１２】
制御部５０１は、空き状況の問い合わせ結果に基づいて、図８に示したエリア画面９１３を携帯端末９００１  に表示させる。このエリア画面９１３には、当該所在地（品川）における空き駐車場があるエリアが表示されている。そして、利用者は、エリア画面９１３から所望のエリア（例えば、品川駅前）を選択する。
【０１１３】
これにより、ステップＳＢ８では、制御部５０１は、図８に示した駐車場一覧画面９１４を携帯端末９００１  に表示させる。この駐車場一覧画面９１４には、選択されたエリア（品川駅前）における空き駐車場の一覧が表示されている。
【０１１４】
そして、利用者により、駐車場一覧画面９１４から所望の空き駐車場（例えば、品川駅西口１）が選択されると、制御部５０１は、予約画面９１５を携帯端末９００１  に表示させる。この予約画面９１５には、利用者により選択された上記空き駐車場（品川駅西口１）の詳細情報および予約決定ボタンが表示されている。
【０１１５】
ステップＳＢ９では、利用者は、上記空き駐車場（例えば、品川駅西口１）を予約すべく、予約画面９１５の予約決定ボタンを押下する。これにより、駐車場予約装置５００へ予約決定が通知される。また、予約決定ボタンが押下されると、制御部５０１は、当該予約が完了した時点から駐車料金の課金が発生する旨のメッセージを携帯端末９００１  に表示させる。
【０１１６】
このメッセージは、課金発生により、利用者にプレッシャをかけ、無断で予約を破棄する悪質行為や、長時間にわたって予約をしたまま車両１０００１  を駐車場に入庫させない迷惑行為を抑止するという心理的効果がある。
【０１１７】
ステップＳＢ１０では、駐車場予約装置５００の制御部５０１は、予約をした利用者に関する利用者情報と、上記空き駐車場（品川駅西口１）に関する駐車場情報と対応づけて予約情報として、例えば、駐車場総合管理システム２００１  へ通知する。また、制御部５０１は、予約情報を記憶部５０２に格納する。
【０１１８】
ステップＳＢ１１では、駐車場総合管理システム２００１  は、空き駐車場（品川駅西口１）に対応する、例えば、空き状況監視装置１００１１  に対して、予約駐車スペースのロック板を上げさせ、ロックするための指示を出す。これにより、予約駐車スペースがロックされる。また、空き状況監視装置１００１１  は、予約完了の時刻ｔ０  （図２参照）から駐車料金の課金を開始する。
【０１１９】
ステップＳＢ１２では、駐車場総合管理システム２００１  は、予約完了を駐車場予約装置５００へ通知する。ステップＳＢ１３では、駐車場予約装置５００の制御部５０１は、予約完了を携帯端末９００１  へ通知する。これにより、当該利用者は、空き駐車場（品川駅西口１）が予約されたことを確認し、車両１０００１  を空き駐車場（品川駅西口１）へ走行させる。
【０１２０】
（予約駐車場利用処理）
つぎに、図７を参照して、上述した予約処理（図６参照）で予約した予約駐車場を実際に利用するための予約駐車場利用処理について説明する。以下では、車両１０００１  が、予約した空き駐車場（品川駅西口１）の近傍に存在しているものとする。
【０１２１】
図７に示したステップＳＣ１では、利用者は、携帯端末９００１  のキー（図示略）を操作することにより、前述したＡＰを起動させる。これにより、ＡＰ起動画面（図示略）が携帯端末９００１  に表示される。
【０１２２】
ステップＳＣ２では、ログインの処理が実行される。具体的には、利用者は、ＡＰ起動画面（図示略）の「駐車場予約」に対応するチェックボックスにチェックを入れた後、確定ボタン（図示略）を押下する。これにより、携帯端末９００１  には、図８に示したように、利用者ＩＤおよびパスワードを入力するためのログイン画面９１０が表示される。
【０１２３】
そして、利用者により、ログイン画面９１０に利用者ＩＤおよびパスワードが入力されると、携帯端末９００１  は、利用者ＩＤおよびパスワードを駐車場予約装置５００へ送信する。
【０１２４】
上記利用者ＩＤおよびパスワードを受信すると、ステップＳＣ３では、駐車場予約装置５００の制御部５０１は、受信された利用者ＩＤおよびパスワードと、利用者情報データベース５２０（図４参照）とを照合し、本人認証を行う。
【０１２５】
ステップＳＣ４では、制御部５０１は、認証結果（この場合、ＯＫとする）を携帯端末９００１  へ通知する。なお、認証結果がＮＧである場合、ステップＳＣ５以降の処理が中止され、エラー画面（図示略）が携帯端末９００１  に表示される。
【０１２６】
ステップＳＣ５では、利用者は、携帯端末９００１  を操作して、予約駐車場の検索を指示する。これにより、ステップＳＣ６では、駐車場予約装置５００の制御部５０１は、利用者ＩＤをキーとして、記憶部５０２から、当該利用者に対応する予約情報（この場合、空き駐車場（品川駅西口１））を取得し、この予約情報をキーとして、予約駐車場（品川駅西口１）を検索する。
【０１２７】
ステップＳＣ７では、制御部５０１は、予約駐車場確認画面（図示略）を携帯端末９００１  に表示させる。これにより、利用者は、利用する予約駐車場を確認した後、利用開始ボタン（図示略）を押下する。
【０１２８】
これにより、ステップＳＣ８では、携帯端末９００１  は、利用を開始する予約駐車場（品川駅西口１）を駐車場予約装置５００へ通知する。ステップＳＣ９では、駐車場予約装置５００の制御部５０１は、利用を開始する予約駐車場（品川駅西口１）を駐車場総合管理システム２００１  へ通知する。
【０１２９】
ステップＳＣ１０では、駐車場総合管理システム２００１  は、予約駐車場（品川駅西口１）に対応する、空き状況監視装置１００１１  に対して、予約駐車スペースのロック板を下げさせ、ロック解除するための指示を出す。これにより、予約駐車スペースのロックが解除され、利用可能となる。
【０１３０】
利用者は、車両１０００１  を予約駐車スペースに入庫させる。そして、時刻ｔ１  で車両１０００１  を出庫させる場合、利用者は、駐車場に備え付けの精算機で駐車料金を精算する。ここで、精算機は、図２に示した時刻ｔ０  〜ｔ１  までの課金時間に基づいて、駐車料金を計算する。
【０１３１】
なお、一実施の形態においては、図８に示した各種画面により、利用者（車両１０００１  ）の現在地を検索キーとして、現在地近傍の空き駐車場を絞り込む構成例について説明したが、図９に示したように、現在地に代えて、地域検索および駅を検索キーとして、空き駐車場を絞り込む構成例としてもよい。
【０１３２】
図９に示した例では、ログイン画面９２０でログインされ、認証結果がＯＫとされると、携帯端末９００１  には、検索画面９２１が表示される。そして、利用者により、検索画面９２１で「地域検索」が選択されると、携帯端末９００１  には、検索確認画面９２２が表示される。
【０１３３】
そして、利用者により、検索確認画面９２２で「駅近辺検索」が選択されると、携帯端末９００１  には、県名検索画面９２３が表示される。県名検索画面９２３で「東京都」が選択されると、携帯端末９００１  には、種別検索画面９２４が表示される。
【０１３４】
さらに、種別検索画面９２４で「ＪＲ」が選択されると、携帯端末９００１  に路線検索画面９２５が表示され、「東海道線」が選択されると、携帯端末９００１  に駅検索画面９２６が表示される。
【０１３５】
さらに、駅検索画面９２６で「品川」が選択されると、携帯端末９００１  にエリア検索画面９２７が表示され、エリア検索画面９２７で「品川駅前」が選択されると、携帯端末９００１  に駐車場一覧画面９２８が表示される。
【０１３６】
そして、駐車場一覧画面９２８で「品川駅西口１」が選択されると、予約画面９２９が携帯端末９００１  に表示される。図６に戻り、ステップＳＢ９では、利用者は、上記空き駐車場（例えば、品川駅西口１）を予約すべく、予約画面９２９の予約決定ボタンを押下する。これにより、駐車場予約装置５００へ予約決定が通知され、前述した動作が実行される。
【０１３７】
また、一実施の形態においては、図８に示した各種画面により、利用者（車両１０００１  ）の現在地を検索キーとして、現在地近傍の空き駐車場を絞り込む構成例について説明したが、図１０に示したように、現在地に代えて、地域検索および住所を検索キーとして、空き駐車場を絞り込む構成例としてもよい。
【０１３８】
図１０に示した例では、ログイン画面９３０でログインされ、認証結果がＯＫとされると、携帯端末９００１  には、検索画面９３１が表示される。そして、利用者により、検索画面９３１で「地域検索」が選択されると、携帯端末９００１  には、検索確認画面９３２が表示される。
【０１３９】
そして、利用者により、検索確認画面９３２で「住所で検索」が選択されると、携帯端末９００１  には、県名検索画面９３３が表示される。県名検索画面９３３で「東京都」が選択されると、携帯端末９００１  には、種別検索画面９３４が表示される。
【０１４０】
さらに、種別検索画面９３４で「ま行」が選択されると、携帯端末９００１  に大エリア検索画面９３５が表示され、「港区」が選択されると、携帯端末９００１  に中エリア検索画面９３６が表示される。
【０１４１】
さらに、中エリア検索画面９３６で「さ行」が選択されると、携帯端末９００１  に小エリア検索画面９３７が表示され、小エリア検索画面９３７で「品川駅前」が選択されると、携帯端末９００１  に駐車場一覧画面９３８が表示される。
【０１４２】
そして、駐車場一覧画面９３８で「品川駅西口１」が選択されると、予約画面９３９が携帯端末９００１  に表示される。図６に戻り、ステップＳＢ９では、利用者は、上記空き駐車場（例えば、品川駅西口１）を予約すべく、予約画面９３９の予約決定ボタンを押下する。これにより、駐車場予約装置５００へ予約決定が通知され、前述した動作が実行される。
【０１４３】
また、一実施の形態においては、駐車場一覧画面９１４（図８参照）、駐車場一覧画面９２８（図９参照）、駐車場一覧画面９３８（図１０参照）で空き駐車場をテキストで表示する構成例について説明したが、これらに代えて、図１１に示したように、地図とともに空き駐車場の位置を表す駐車場一覧画面１１００を表示する構成例としてもよい。この場合、駐車場予約装置５００の制御部５０１は、空き駐車場の検索結果とともに地図情報を携帯端末９００１  へ送信する。
【０１４４】
以上説明したように、一実施の形態によれば、利用者の携帯端末９００１  からの検索条件に基づいて、複数の駐車場の中から空き駐車場を検索し、空き駐車場を管理する駐車場総合管理システム２００１  〜２００ｎ  のうちいずれかの駐車場総合管理システムへ予約情報を通知し、予約を完了させ、予約が完了した時点から当該空き駐車場にかかる駐車料金の課金を発生させることとしたので、無断で予約を破棄する悪質行為や、長時間にわたって予約をしたまま車両を駐車場に入庫させない迷惑行為が抑止され、予約における駐車場の利用効率を高めることができる。
【０１４５】
また、一実施の形態によれば、予約が完了した時点で駐車料金の課金が発生する旨のメッセージを携帯端末９００１  に表示させることとしたので、課金発生を明示して、利用者にプレッシャをかけ、無断で予約を破棄する悪質行為や、長時間にわたって予約をしたまま車両を駐車場に入庫させない迷惑行為を抑止するという心理的効果を倍増させることができる。
【０１４６】
また、一実施の形態によれば、駐車場総合管理システム２００１  〜２００ｎ  のうち当該駐車場総合管理システムに対して、予約情報の通知とともに、当該空き駐車場を物理的にロックさせるためのロック指示を出すこととしたので、他の利用者が当該空き駐車場に入庫してしまい、当該利用者が利用できないという状況を回避することができる。
【０１４７】
また、一実施の形態によれば、予約された当該空き駐車場を利用者が利用する場合、携帯端末９００１  から認証情報（利用者ＩＤ、パスワード）を取得し、利用者が認証された場合、当該駐車場総合管理システムに対して、ロックを解除させるためのロック解除指示を出すこととしたので、本人認証によりセキュリティを高めることができる。
【０１４８】
また、一実施の形態によれば、検索条件を車両１０００１  の現在地とし、携帯端末９００１  が、収容局から通知された位置を現在地として通知することとしたので、現在地周辺の空き駐車場を迅速に予約することができる。
【０１４９】
また、一実施の形態によれば、検索条件を、車両の現在地とし、携帯端末９００１  が、ＧＰＳにより現在地を測位する機能を備え、測位結果を現在地として通知することとしたので、高い精度で現在地周辺の空き駐車場を迅速に予約することができる。
【０１５０】
また、一実施の形態によれば、図９および図１０を参照して説明したように、検索条件を、利用者により任意に設定される地域であることとしたので、例えば、遠隔地の空き駐車場を予約することができる。
【０１５１】
また、一実施の形態によれば、図１１を参照して説明したように、携帯端末９００１  に検索結果を地図とともに表示させることとしたので、地理的位置関係を利用者が把握することができ、利用者の利便性を向上させることができる。
【０１５２】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０１５３】
例えば、前述した一実施の形態においては、図１に示した駐車場予約装置５００の機能を実現するためのプログラムを図１２に示したコンピュータ読み取り可能な記録媒体１３００に記録して、この記録媒体１３００に記録されたプログラムを同図に示したコンピュータ１２００に読み込ませ、実行することにより各機能を実現してもよい。
【０１５４】
同図に示したコンピュータ１２００は、上記プログラムを実行するＣＰＵ（Ｃｅｎｔｒａｌ  Ｐｒｏｃｅｓｓｉｎｇ  Ｕｎｉｔ）１２１０と、キーボード、マウス等の入力装置１２２０と、各種データを記憶するＲＯＭ（Ｒｅａｄ  Ｏｎｌｙ  Ｍｅｍｏｒｙ）１２３０と、演算パラメータ等を記憶するＲＡＭ（Ｒａｎｄｏｍ  Ａｃｃｅｓｓ  Ｍｅｍｏｒｙ）１２４０と、記録媒体１３００からプログラムを読み取る読取装置１２５０と、ディスプレイ、プリンタ等の出力装置１２６０と、装置各部を接続するバス１２７０とから構成されている。
【０１５５】
ＣＰＵ１２１０は、読取装置１２５０を経由して記録媒体１３００に記録されているプログラムを読み込んだ後、プログラムを実行することにより、前述した機能を実現する。なお、記録媒体１３００としては、光ディスク、フレキシブルディスク、ハードディスク等が挙げられる。
【０１５６】
【発明の効果】
以上説明したように、請求項１、９、１７にかかる発明によれば、利用者の携帯端末からの検索条件に基づいて、複数の駐車場の中から空き駐車場を検索し、空き駐車場を管理する管理装置へ予約情報を通知し、予約を完了させ、予約が完了した時点から当該空き駐車場にかかる駐車料金の課金を発生させることとしたので、無断で予約を破棄する悪質行為や、長時間にわたって予約をしたまま車両を駐車場に入庫させない迷惑行為が抑止され、予約における駐車場の利用効率を高めることができるという効果を奏する。
【０１５７】
また、請求項２、１０、１８にかかる発明によれば、予約が完了した時点で駐車料金の課金が発生する旨のメッセージを携帯端末に表示させることとしたので、課金発生を明示して、利用者にプレッシャをかけ、無断で予約を破棄する悪質行為や、長時間にわたって予約をしたまま車両を駐車場に入庫させない迷惑行為を抑止するという心理的効果を倍増させることができるという効果を奏する。
【０１５８】
また、請求項３、１１、１９にかかる発明によれば、管理装置に対して、予約情報の通知とともに、当該空き駐車場を物理的にロックさせるためのロック指示を出すこととしたので、他の利用者が当該空き駐車場に入庫してしまい、当該利用者が利用できないという状況を回避することができるという効果を奏する。
【０１５９】
また、請求項４、１２、２０にかかる発明によれば、予約された当該空き駐車場を利用者が利用する場合、携帯端末から認証情報を取得し、利用者が認証された場合、管理装置に対して、ロックを解除させるためのロック解除指示を出すこととしたので、本人認証によりセキュリティを高めることができるという効果を奏する。
【０１６０】
また、請求項５、１３、２１にかかる発明によれば、検索条件を車両の現在地とし、携帯端末が、収容局から通知された位置を現在地として通知することとしたので、現在地周辺の空き駐車場を迅速に予約することができるという効果を奏する。
【０１６１】
また、請求項６、１４、２２にかかる発明によれば、検索条件を、車両の現在地とし、携帯端末が、グローバルポジショニングシステムにより現在地を測位する機能を備え、測位結果を現在地として通知することとしたので、高い精度で現在地周辺の空き駐車場を迅速に予約することができるという効果を奏する。
【０１６２】
また、請求項７、１５、２３にかかる発明によれば、検索条件を、利用者により任意に設定される地域であることとしたので、例えば、遠隔地の空き駐車場を予約することができるという効果を奏する。
【０１６３】
また、請求項８、１６、２４にかかる発明によれば、検索結果を地図上に表示させて携帯端末へ通知することとしたので、地理的位置関係を利用者が把握することができ、利用者の利便性を向上させることができるという効果を奏する。
【図面の簡単な説明】
【図１】本発明にかかる一実施の形態の構成を示すブロック図である。
【図２】同一実施の形態の動作概要を説明する図である。
【図３】図１に示した駐車場情報データベース５１０の構造を示す図である。
【図４】図１に示した利用者情報データベース５２０の構造を示す図である。
【図５】同一実施の形態における利用者情報登録処理を説明するシーケンス図である。
【図６】同一実施の形態における予約処理を説明するシーケンス図である。
【図７】同一実施の形態における予約駐車場利用処理を説明するシーケンス図である。
【図８】同一実施の形態における予約処理（現在地検索）を説明する画面遷移図である。
【図９】同一実施の形態における予約処理（地域検索−駅）を説明する画面遷移図である。
【図１０】同一実施の形態における予約処理（地域検索−住所）を説明する画面遷移図である。
【図１１】同一実施の形態における駐車場一覧画面１１００を示す図である。
【図１２】同一実施の形態の変形例の構成を示すブロック図である。
【符号の説明】
１００１１  〜１００ｎｎ  空き状況監視装置
２００１  〜２００ｎ  駐車場総合管理システム
５００  駐車場予約装置
５０１  制御部
５０２  記憶部
５０３  通信部
５１０  駐車場情報データベース
５２０  利用者情報データベース
９００１  〜９００ｍ  携帯端末
１０００１  〜１０００ｍ  車両
【図１】
2004295804.tif 000003
【図２】
2004295804.tif 000004
【図３】
2004295804.tif 000005
【図４】
2004295804.tif 000006
【図５】
2004295804.tif 000007
【図６】
2004295804.tif 000008
【図７】
2004295804.tif 000009
【図８】
2004295804.tif 000010
【図９】
2004295804.tif 000011
【図１０】
2004295804.tif 000012
【図１１】
2004295804.tif 000013
【図１２】
2004295804.tif 000014